(57)【特許請求の範囲】
【請求項１】
液体を含浸した含浸体を内部に収容する容器本体と、前記液体を塗布するための塗布部を有し前記含浸体から前記液体を取り入れ前記塗布部に誘導する毛細管現象を発現する塗布体と、を備え、前記塗布体は、前記塗布部が形成され前記容器本体から外部に向かって突出する先部と、前記含浸体から前記液体を取り入れる後部と、を備える液体塗布容器であって、
前記塗布体は、板状に構成されており、
前記塗布体が挿入され当該塗布体を支持する塗布体ホルダを備え、
前記塗布体ホルダは、その後部に、前記塗布体の挿入方向に沿うように設けられ前記塗布体の後部を挟むようにして支持すると共に後端が開口され、且つ、前記含浸体に進入する支持部を備え、
前記後端の開口に連通し前側に延びると共に側方に貫通するスリットが、前記支持部同士の間に備えられ、
前記支持部の側方端において前記スリットに前記塗布体が進入していることを特徴とする液体塗布容器。
【請求項２】
液体を含浸した含浸体を内部に収容する容器本体と、前記液体を塗布するための塗布部を有し前記含浸体から前記液体を取り入れ前記塗布部に誘導する毛細管現象を発現する塗布体と、を備え、前記塗布体は、前記塗布部が形成され前記容器本体から外部に向かって突出する先部と、前記含浸体から前記液体を取り入れる後部と、を備える液体塗布容器であって、
前記塗布体は、板状に構成されており、
前記塗布体が挿入され当該塗布体を支持する塗布体ホルダを備え、
前記塗布体ホルダは、その後部に、前記塗布体の挿入方向に沿うように設けられ前記塗布体の後部を包むようにして支持すると共に後端が開口され、且つ、前記含浸体に進入する支持部を備え、
前記後端の開口に連通し前側に延びると共に側方に貫通する液体進入スリットが、前記支持部の側面に備えられ、
前記支持部の側方端において前記液体進入スリットに前記塗布体が進入していることを特徴とする液体塗布容器。
【請求項３】
液体を含浸した含浸体を内部に収容する容器本体と、前記液体を塗布するための塗布部を有し前記含浸体から前記液体を取り入れ前記塗布部に誘導する毛細管現象を発現する塗布体と、を備え、前記塗布体は、前記塗布部が形成され前記容器本体から外部に向かって突出する先部と、前記含浸体から前記液体を取り入れる後部と、を備える液体塗布容器であって、
前記塗布体は、板状に構成されており、
前記塗布体が挿入され当該塗布体を支持する塗布体ホルダを備え、
前記塗布体ホルダは、その後部に、前記塗布体の挿入方向に沿うように設けられ前記塗布体の後部を挟むようにして支持すると共に後端が開口され、且つ、前記含浸体が進入する支持部を備え、
前記支持部同士の間に、前記後端の開口に連通し前側に延びるスリットを備え、
前記塗布体ホルダは、前記スリットを後側から前側へ通る前記塗布体を突き当てるためのストッパを備えることを特徴とする液体塗布容器。
【請求項４】
液体を含浸した含浸体を内部に収容する容器本体と、前記液体を塗布するための塗布部を有し前記含浸体から前記液体を取り入れ前記塗布部に誘導する毛細管現象を発現する塗布体と、を備え、前記塗布体は、前記塗布部が形成され前記容器本体から外部に向かって突出する先部と、前記含浸体から前記液体を取り入れる後部と、を備える液体塗布容器であって、
前記塗布体は、板状に構成されており、
前記塗布体が挿入され当該塗布体を支持する塗布体ホルダを備え、
前記塗布体ホルダは、その後部に、前記塗布体の挿入方向に沿うように設けられ前記塗布体の後部を挟むようにして支持すると共に後端が開口され、且つ、前記含浸体に進入する支持部を備え、
前記支持部同士の間に、前記後端の開口に連通し前側に延びるスリットを備え、
前記塗布体ホルダは、前記スリットを後側から前側へ通る前記塗布体を突き当てるためのストッパを備えることを特徴とする液体塗布容器。
【請求項５】
前記塗布体は、繊維質の材質から成ることを特徴とする請求項１〜４の何れか一項に記載の液体塗布容器。
【請求項６】
前記含浸体は中綿であることを特徴とする請求項１又は２又は４記載の液体塗布容器。
【請求項７】
前記塗布体は、前記塗布体ホルダの前記後端の開口から後方へ突出していることを特徴とする請求項６記載の液体塗布容器。
【請求項８】
前記含浸体は中継芯であることを特徴とする請求項３記載の液体塗布容器。
【請求項９】
前記中継芯は先端に突起を備え、
前記塗布体の後端面には、前記中継芯の前記突起が進入するへこみを備えることを特徴とする請求項８記載の液体塗布容器。
【請求項１０】
前記液体は、アイライナー化粧料であることを特徴とする請求項１〜９の何れか一項に記載の液体塗布容器。
【発明の詳細な説明】
【技術分野】
【０００１】
本発明は、液体を塗布するための液体塗布容器に関する。
【背景技術】
【０００２】
従来、液体を塗布する容器として、以下の特許文献１に記載のマーキングペンが知られている。この特許文献１のマーキングペンは以下の通りである。すなわち、従来にあっては、塗布体であるペン体を、容器に収容された含浸体であるインキ吸蔵体に差し込み挿入する際に、ペン体は例えば繊維体より成り柔らかいため曲りが発生し、組立作業が困難であるという問題点に鑑みなされたものであって、有底筒状で後端が尖ったペン体保持部材を設け、このペン体保持部材にペン体を嵌挿し保持させると共に当該ペン体保持部材をインキ吸蔵体へ挿入し、且つ、ペン体保持部材の側壁（周壁）に軸線方向に延び内外を連通するスリット状の切欠部を設けて当該切欠部からペン体を露出させ、この露出部分をインキ吸蔵体に進入させる構成を採用している。そして、このマーキングペンによれば、柔らかいペン体をインキ吸蔵体に直接挿入することなく、ペン体を内部に保持したペン体保持部材をインキ吸蔵体に挿入する構成のため、ペン体保持部材の側壁の切欠部を通して、インキ吸蔵体から液体であるインキが伝達されるようになっている。
【０００３】
一方、特許文献１とは逆に、塗布体に対して含浸体を突き刺す特許文献２に記載の塗布具が知られている。この塗布具にあっては、含浸体を棒状の塗料フィーダとし、この塗料フィーダの後端部を、容器内の塗料タンクに収容された液体である塗料に浸漬すると共に、塗料フィーダの先端部を、塗布体であるブラシに突き刺し差し込む構成を採用し、塗料タンクの塗料が塗料フィーダを通してブラシへ供給されるようになっている。
【先行技術文献】
【特許文献】
【０００４】
【特許文献１】実開昭５９−９９７９１号公報
【特許文献２】特開２０１５−８０８５６号公報
【発明の概要】
【発明が解決しようとする課題】
【０００５】
しかしながら、特許文献１にあっては、インキが、ペン体保持部材の側壁の切欠部から回り込んで内部に進入しペン体の先端へ直進していくため、インキの流れに抵抗が働き、インキが円滑に移動し難いという問題がある。また、ペン体を、薄く柔らかい扁平状の板材とした場合には、上述のように円滑に移動し難いインキを、さらにペン体保持部材の周方向から切欠部を通して内部のペン体に片寄りなく円滑に移動させるのは、より難しいという問題がある。
【０００６】
一方、特許文献２にあっては、塗料タンクから塗料フィーダを通してブラシにインクを移動させる際に、当該インクは円滑に移動するが、ブラシを薄く柔らかい扁平状の板材とした場合には、塗料フィーダの先端部を、薄く柔らかい扁平状の板材に突き刺し差し込もうとしても、当該板材はぺらぺらで、塗料フィーダの先端部の差し込みに対して逃げてしまいうまく差し込むことができず、インクを板材に供給できない虞がある。
【０００７】
従って、特許文献１、２に鑑み、板状の塗布体を採用した場合に、インキやインク等の液体を、インキ吸蔵体や塗料フィーダ等の含浸体から板状の塗布体へ円滑且つ確実に移動させることが望まれている。
【０００８】
そこで、本発明は、含浸体の液体を板状の塗布体へ確実且つ円滑に移動させることができる液体塗布容器を提供することを目的とする。
【課題を解決するための手段】
【０００９】
本発明による液体塗布容器は、液体を含浸した含浸体を内部に収容する容器本体と、液体を塗布するための塗布部を有し含浸体から液体を取り入れ塗布部に誘導する毛細管現象を発現する塗布体と、を備え、塗布体は、塗布部が形成され容器本体から外部に向かって突出する先部と、含浸体から液体を取り入れる後部と、を備える液体塗布容器であって、塗布体は、板状に構成されており、塗布体が挿入され当該塗布体を支持する塗布体ホルダを備え、塗布体ホルダは、その後部に、塗布体の挿入方向に沿うように設けられ塗布体の後部を挟むようにして支持すると共に後端が開口され、且つ、含浸体に進入する支持部を備え、後端の開口に連通し前側に延びると共に側方に貫通するスリットが、支持部同士の間に備えられ、支持部の側方端においてスリットに塗布体が進入していることを特徴としている。
【００１０】
このような液体塗布容器によれば、塗布体ホルダの後部の支持部が、液体を含浸した含浸体に進入し、板状で且つ毛細管現象を発現する塗布体の後部が、支持部に挟まれるように支持されながら、含浸体に進入するため、支持部により塗布体の後部が保護されながら折れ曲がることなく含浸体に容易に差し込まれる。このため、含浸体の液体を、塗布体へ確実に移動させることができると共に、支持部の後端の開口を通して液体の流れが直進となり、含浸体の液体を円滑に移動させることができる。
また、本発明による液体塗布容器は、液体を含浸した含浸体を内部に収容する容器本体と、液体を塗布するための塗布部を有し含浸体から液体を取り入れ塗布部に誘導する毛細管現象を発現する塗布体と、を備え、塗布体は、塗布部が形成され容器本体から外部に向かって突出する先部と、含浸体から液体を取り入れる後部と、を備える液体塗布容器であって、塗布体は、板状に構成されており、塗布体が挿入され当該塗布体を支持する塗布体ホルダを備え、塗布体ホルダは、その後部に、塗布体の挿入方向に沿うように設けられ塗布体の後部を包むようにして支持すると共に後端が開口され、且つ、含浸体に進入する支持部を備え、後端の開口に連通し前側に延びると共に側方に貫通する液体進入スリットが、支持部の側面に備えられ、支持部の側方端において液体進入スリットに塗布体が進入していることを特徴としている。
このような液体塗布容器によれば、塗布体ホルダの後部の支持部が、液体を含浸した含浸体に進入し、板状で且つ毛細管現象を発現する塗布体の後部が、支持部に包まれるように支持されながら、含浸体に進入するため、支持部により塗布体の後部が保護されながら折れ曲がることなく含浸体に容易に差し込まれる。このため、含浸体の液体を、塗布体へ確実に移動させることができると共に、支持部の後端の開口を通して液体の流れが直進となり、含浸体の液体を円滑に移動させることができる。また、液体進入スリットを通して含浸体の液体が支持部内に進入し、一層多くの液体を塗布体へ移動させることができる。
また、本発明による液体塗布容器は、液体を含浸した含浸体を内部に収容する容器本体と、液体を塗布するための塗布部を有し含浸体から液体を取り入れ塗布部に誘導する毛細管現象を発現する塗布体と、を備え、塗布体は、塗布部が形成され容器本体から外部に向かって突出する先部と、含浸体から液体を取り入れる後部と、を備える液体塗布容器であって、塗布体は、板状に構成されており、塗布体が挿入され当該塗布体を支持する塗布体ホルダを備え、塗布体ホルダは、その後部に、塗布体の挿入方向に沿うように設けられ塗布体の後部を挟むようにして支持すると共に後端が開口され、且つ、含浸体が進入する支持部を備え、支持部同士の間に、後端の開口に連通し前側に延びるスリットを備え、塗布体ホルダは、スリットを後側から前側へ通る塗布体を突き当てるためのストッパを備えることを特徴としている。
このような液体塗布容器によれば、支持部の後端の開口を通して含浸体が進入し、この状態で、塗布体の後部が、支持部に挟まれるように支持されているため、当該塗布体の後部が逃げることなく、支持部に進入した含浸体が、塗布体の後部に容易に差し込まれる。このため、含浸体の液体を、塗布体へ確実に移動させることができると共に、支持部の後端の開口を通して液体の流れが直進となり、含浸体の液体を円滑に移動させることができる。また、塗布体が塗布体ホルダのストッパに突き当たることによって、塗布体の位置決めが容易に成されると共に、塗布体のそれ以上の前進が阻止され、これにより、塗布体の汚れを落とす等の清掃をしているときに当該塗布体が前方に抜け出てしまうことを防止できる。
また、本発明による液体塗布容器は、液体を含浸した含浸体を内部に収容する容器本体と、液体を塗布するための塗布部を有し含浸体から液体を取り入れ塗布部に誘導する毛細管現象を発現する塗布体と、を備え、塗布体は、塗布部が形成され容器本体から外部に向かって突出する先部と、含浸体から液体を取り入れる後部と、を備える液体塗布容器であって、塗布体は、板状に構成されており、塗布体が挿入され当該塗布体を支持する塗布体ホルダを備え、塗布体ホルダは、その後部に、塗布体の挿入方向に沿うように設けられ塗布体の後部を挟むようにして支持すると共に後端が開口され、且つ、含浸体に進入する支持部を備え、支持部同士の間に、後端の開口に連通し前側に延びるスリットを備え、塗布体ホルダは、スリットを後側から前側へ通る塗布体を突き当てるためのストッパを備えることを特徴としている。
このような液体塗布容器によれば、塗布体ホルダの後部の支持部が、液体を含浸した含浸体に進入し、板状で且つ毛細管現象を発現する塗布体の後部が、支持部に挟まれるように支持されながら、含浸体に進入するため、支持部により塗布体の後部が保護されながら折れ曲がることなく含浸体に容易に差し込まれる。このため、含浸体の液体を、塗布体へ確実に移動させることができると共に、支持部の後端の開口を通して液体の流れが直進となり、含浸体の液体を円滑に移動させることができる。また、塗布体が塗布体ホルダのストッパに突き当たることによって、塗布体の位置決めが容易に成されると共に、塗布体のそれ以上の前進が阻止され、これにより、塗布体の汚れを落とす等の清掃をしているときに当該塗布体が前方に抜け出てしまうことを防止できる。
【００１１】
ここで、毛細管現象を発現する塗布体としては種々なものを採用できるが、上記作用を好適に奏する塗布体としては、具体的には、繊維質の材質から成る構成を採用できる。
【００１２】
また、含浸体は中綿であるのが好ましい。このような構成を採用した場合、塗布体ホルダの支持部の方が中綿に比して硬いため、塗布体の後部を支持する支持部を確実に中綿に差し込むことができる。
【００１３】
また、塗布体は、塗布体ホルダの後端の開口から後方へ突出していると、中綿との接触面積が大きくなり、一層多くの液体を塗布体へ移動させることができる。
【００１５】
また、含浸体は中継芯であるのが好ましい。このような構成を採用した場合、肌に触れる塗布体の方が中継芯に比して柔らかいため、塗布体ホルダの支持部に挟まれるようにして支持される塗布体の後部のその後端面に対して、中継芯を確実に差し込むことができる。
【００１６】
また、中継芯は先端に突起を備え、塗布体の後端面には、中継芯の突起が進入するへこみを備えていると、塗布体の後端面のへこみに、中継芯の突起が確実に差し込まれて進入することができる。
【００１８】
ここで、液体としては種々なものを採用できるが、塗布体が板状であると共に毛細管現象を発現するものであることから、具体的には、アイライナー化粧料とするのが好適である。
【発明の効果】
【００１９】
このように本発明によれば、含浸体の液体を板状の塗布体へ円滑且つ確実に移動させることができる液体塗布容器を提供できる。
【図面の簡単な説明】
【００２０】
【図１】本発明の第１実施形態に係る液体塗布容器を示す縦断面図である。
【図２】図１のII-II矢視図である。
【図３】図１及び図２中の塗布体及び塗布体ホルダを前方から見た斜視図である。
【図４】図３に示す塗布体及び塗布体ホルダを後方から見た斜視図である。
【図５】図１及び図２中の塗布体ホルダを後方から見た斜視図である。
【図６】図５に示す塗布体ホルダの側面図である。
【図７】図６に示す塗布体ホルダの平面図である。
【図８】図１及び図２中の塗布体を示す斜視図である。
【図９】図８に示す塗布体の側面図である。
【図１０】本発明の第２実施形態に係る液体塗布容器を示す縦断面図である。
【図１１】図１０のXI-XI矢視図である。
【図１２】図１０及び図１１中の塗布体及び塗布体ホルダを前方から見た斜視図である。
【図１３】図１２に示す塗布体及び塗布体ホルダを後方から見た斜視図である。
【図１４】図１０及び図１１中の塗布体ホルダを後方から見た斜視図である。
【図１５】図１４に示す塗布体ホルダの側面図である。
【図１６】図１５に示す塗布体ホルダの平面図である。
【図１７】図１０及び図１１中の塗布体を示す斜視図である。
【図１８】図１７に示す塗布体の側面図である。
【図１９】図１０及び図１１中の含浸体を示す斜視図である。
【発明を実施するための形態】
【００２１】
以下、本発明による液体塗布容器の好適な実施形態について図１〜図１９を参照しながら説明する。図１〜図９は、本発明の第１実施形態を、図１０〜図１９は、本発明の第２実施形態を各々示すものであり、各図において、同一の要素には同一の符号を付し、重複する説明は省略する。
【００２２】
先ず、図１〜図９に示す第１実施形態を説明する。
【００２３】
図１及び図２は、本発明の第１実施形態に係る液体塗布容器を示す各断面図、図３及び図４は、塗布体及び塗布体ホルダを示す各斜視図、図５〜図７は、塗布体ホルダを示す各図、図８及び図９は、塗布体を示す各図であり、本実施形態の液体塗布容器は、内部に収容した液体を使用者により適宜被塗布部に塗布することができるものである。液体は、ここでは、特に好適であるとして、アイラインを描くための液状化粧料であるアイライナー化粧料とされ、従って、液体塗布容器は、ここでは、アイライナー化粧料塗布容器とされている。
【００２４】
図１及び図２に示すように、アイライナー化粧料塗布容器１００は、容器外形を構成する容器本体１及び先筒２と、容器本体１内に収容された含浸体である中綿３と、容器本体１及び先筒２内に収容されると共に先筒２の先端の開口から突出する平板状の塗布体４と、を備える。
【００２５】
容器本体１は、例えばＰＰ等から形成され、先細の段付き円筒状に構成される。容器本体１の後端の開口は、例えばＰＰ等から成る尾栓６を容器本体１に装着することにより閉じられ、容器本体１の外周面の段差面より後側に拡径して形成された内部空間に、アイライナー化粧料Ｌを含浸した中綿３が充填される。中綿３は、例えばポリエステル等から形成され長尺の円柱状を成し、その後端に配置された例えばＨＤＰＥ等から成るアジャスター５によりそのサイズが調節可能とされる。
【００２６】
先筒２は、塗布体４が挿入され当該塗布体４を支持するための塗布体ホルダであり（以降、先筒２を塗布体ホルダ２と呼ぶ）、例えばＰＰ等から形成される。図５〜図７に示すように、塗布体ホルダ２は、先端側の先部２ｘと、後端側の後部２ｚと、先部２ｘと後部２ｚとの間の中間部２ｙと、を備え、図１及び図２に示すように、先部２ｘは、容器本体１から突出し、中間部２ｙ及び後部２ｚは、容器本体１内に収容される。
【００２７】
先部２ｘの後半部及び中間部２ｙは、筒状に構成され、これらを貫通する筒孔２ｈは、平板状の塗布体４の中間部４ｙ（図８及び図９参照：詳しくは後述）の収容を可能とする形状、すなわち塗布体４の中間部４ｙの形状に合致した断面略長方形状とされる。
【００２８】
図５〜図７に示すように、先部２ｘは、後端側の外周面が円形形状とされ、先端側に行くに従い円形形状が扁平形状になるように縮径する先細り形状とされる。そして、先細り形状の先端の開口２ｂが、断面略長方形状の筒孔２ｈに同様な形状で繋がる塗布体４の出口とされ（図１、図３及び図４参照）、この出口となる開口２ｂの短径側（図７の上下方向）の開口縁に、長径側（図７の紙面垂直方向）の開口縁よりも前方に突出する突出部２ｇを、一対対向して備える。これらの突出部２ｇ，２ｇは、塗布体４の後述の先部４ｘを両側から挟み支持する先部支持部であり（以降、突出部２ｇを先部支持部２ｇと呼ぶ）、当該塗布体４の先部４ｘの外縁に概ね沿うような形状となっている（塗布体４の先部４ｘの外縁の形状については後述）。
【００２９】
中間部２ｙは、その外周面が、先部２ｘの後端に段差面２ｅを介して続く小径の円形形状となっており、所定長後方へ延びているブロック体である。そして、中間部２ｙの後端面には、当該中間部２ｙを貫通する断面略長方形状の筒孔２ｈの出口となる開口２ｄが開口されている。この開口２ｄを有する中間部２ｙの後端面の当該開口２ｄの周囲、より具体的には、当該開口２ｄの長径側の周囲が、塗布体４を組み付ける際に当該塗布体４のストッパ４ｆ（詳しくは後述）が突き当たるストッパ２ｆとされる。
【００３０】
後部２ｚは、中間部２ｙの後端面に、塗布体４の挿入方向に沿うように連設されて後方へ突出する一対の突出部２ｔ，２ｔを備える。これらの突出部２ｔ，２ｔは、塗布体４の後述の後部４ｚを両側から挟み支持する後部支持部であり（以降、突出部２ｔを後部支持部２ｔと呼ぶ）、個々の後部支持部２ｔは、平板状に構成され、後端側に行くに従い先細りとなる形状となっている。そして、後部支持部２ｔ，２ｔは、開口２ｄの短径側（図７の上下方向）の開口縁の中央辺りから、後方へ突出する構成となっている。換言すれば、一方の後部支持部２ｔの一方側（図５の上側）の端部と他方の後部支持部２ｔの一方側（上側）の端部との間にスリット（隙間）２ｓが形成された格好となっており、一方の後部支持部２ｔの他方側（図５の下側）の端部と他方の後部支持部２ｔの他方側（図５の下側）の端部との間にも同様なスリット２ｓが形成された格好になっていて、これらのスリット２ｓ，２ｓが対向し互いに連通する格好となっている。また、後部支持部２ｔ，２ｔ同士の間の後端は、後方へ開放され、開口２ｕが開口された格好となっている。
【００３１】
塗布体４は、アイライナー化粧料Ｌを目の縁に沿って塗布する際に用いられるものであり、チップとも称されるものである。図８及び図９に示すように、塗布体４は、薄い平板状とされて軸線方向に延び、アイラインの細い線を描くのに最適な厚さにされる。この塗布体４は、中綿３に含浸されたアイライナー化粧料Ｌを取り入れて先端側の塗布部４ａに誘導する（移動させる）毛細管現象を発現するものであり、塗布の際に肌に馴染む柔らかい感触が得られるように、ここでは、ポリオレフィンより形成されている。
【００３２】
なお、塗布体４としては、最低限、毛細管現象を発現できれば良いが、柔らかい感触が得られるのが好ましく、柔らかい繊維質の材質や、スポンジ等の柔らかい多孔質材を採用することができ、ポリオレフィン以外の例えばナイロン、ポリエステル等より形成されても良い。因みに、繊維質の材質とするのが、より好ましい。
【００３３】
この塗布体４は、先端側の先部４ｘと、後端側の後部４ｚと、先部４ｘと後部４ｚとの間の中間部４ｙと、を備える。
【００３４】
先部４ｘは、塗布体ホルダ２の開口２ｂから突出する部分であり（図１参照）、平面視において（図９の紙面垂直方向視において）、例えば包丁等の片刃形状の先端部分（刃先）の形状を呈する。具体的には、先部４ｘの外縁の形状は、平面視において、片刃形状の刃の後側の部分である所謂みねに対応する部分４ｍが、直線状に構成され、その直線状の先端は、鋭角を成し尖る尖部４ｎとされ、この尖部４ｎから後方への部分は、刃の所謂反りの部分と同様に、湾曲し傾斜する湾曲傾斜面４ａとなっている。そして、この厚みが薄く湾曲する湾曲傾斜面４ａが、アイラインを描く塗布部となる（以降、湾曲傾斜面４ａを塗布部４ａと呼ぶ）。
【００３５】
なお、ここでは、アイライナー化粧料Ｌを塗布するのに特に好ましい形状として、尖部４ｎは、片刃形状のように、平面視において幅方向（図９の上下方向）の一方側（図９の上側）に片寄って配置されているが、両刃形状のように、幅方向の中央に配置されていても良い。また、塗布部４ａは湾曲し傾斜しているが、直線状に傾斜していても良い。
【００３６】
中間部４ｙは、軸線方向の途中の両側面（図９の上下面）に、先端側に対して後端側が幅方向外側へ拡大する段差面４ｆを有し、この段差面４ｆより前側の部分に対して後側の部分が幅方向に広い平板となっている。そして、この段差面４ｆが、塗布体ホルダ２に組み付ける際に当該塗布体ホルダ２のストッパ２ｆに突き当たるストッパとされる（以降、段差面４ｆをストッパ４ｆと呼ぶ）。
【００３７】
後部４ｚは、中綿３に進入しアイライナー化粧料Ｌを取り入れる部分であり（図１及び図２参照）、平面視において、例えば両刃形状の先端部分の形状を呈する。具体的には、後端の幅方向中央が、中綿３へ容易に差し込まれるべく、後方に向かって尖るように構成される。
【００３８】
そして、平板状の塗布体４は、図３及び図４に示すように、その先部４ｘから、塗布体ホルダ２の中間部２ｙの後端面の開口２ｄに挿入され、図１及び図４に示すように、その段差面であるストッパ４ｆが、塗布体ホルダ２の中間部２ｙのストッパ２ｆに突き当たることにより、位置決めが成されると共にそれ以上の前進が阻止される。
【００３９】
この状態で、図１〜図４に示すように、塗布体４の先部４ｘは、塗布体ホルダ２の先部２ｘの開口２ｂから突出し、塗布体４の先部４ｘの外縁形状に概ね沿うような外縁形状を有する（概ね小さい相似形とされる）塗布体ホルダ２の先部支持部２ｇ，２ｇにより両側から挟まれ支持される。
【００４０】
また、塗布体４の後部４ｚは、塗布体ホルダ２の中間部２ｙの後端面の開口２ｄから後方へ突出し、平板状を成し後方へ延びる塗布体ホルダ２の後部支持部２ｔ，２ｔにより両側から挟まれて支持される。この状態で、塗布体４の後部４ｚは、塗布体ホルダ２の後部支持部２ｔ，２ｔより後方へ多少はみ出すように突出していると共に、上下方向へ大きくはみ出すように突出している。
【００４１】
そして、このようにして塗布体４が一体化された塗布体ホルダ２は、図１及び図２に示すように、その後部支持部２ｔ，２ｔ側から容器本体１の円筒状の先端部の筒孔に挿入され、その段差面２ｅが、容器本体１の先端面に突き当てられ、その段差面２ｅより後側の部分の外周面が、容器本体１の先端の内周面に嵌着されることにより、塗布体４を支持した塗布体ホルダ２が、容器本体１に装着される。
【００４２】
この状態で、塗布体ホルダ２の後部支持部２ｔ，２ｔに挟まれ支持された塗布体４の後部４ｚは、中綿３に進入し差し込まれた状態となっており、塗布体４は、塗布体ホルダ２のストッパ２ｆにより前進が阻止されると共に、中綿３により後退が阻止され、その軸線方向の位置決めが成されている。
【００４３】
そして、このようにして、塗布体４を支持した塗布体ホルダ２が容器本体１に装着されることにより、図１及び図２に示すアイライナー化粧料塗布容器１００が得られる。なお、アイライナー化粧料塗布容器１００にあっては、図１に示すように、塗布体４を覆うようにキャップ９が着脱可能に装着される。
【００４４】
このように構成されたアイライナー化粧料塗布容器１００にあっては、中綿３に含浸されたアイライナー化粧料Ｌは、塗布体４の毛細管現象により、塗布体４の後部４ｚから取り入れられて当該塗布体４を移動しさらに先部４ｘの塗布部４ａへ移動し、当該塗布部４ａにより、アイラインの細い線を柔らかい感触で描くことができる。
【００４５】
そして、特に、このようなアイライナー化粧料塗布容器１００によれば、以下の作用・効果を奏する。すなわち、平板状で且つ毛細管現象を発現する塗布体４の後部４ｚが、塗布体ホルダ２の後部２ｚの後部支持部２ｔ，２ｔに挟まれ支持されながら、後部支持部２ｔ，２ｔが中綿３に進入する構成のため（図２参照）、当該後部支持部２ｔ，２ｔにより、塗布体４の後部４ｚが保護されながら折れ曲がることなく中綿３に容易に差し込まれる。このため、中綿３のアイライナー化粧料Ｌを、塗布体４へ確実に移動させることができると共に、後部支持部２ｔ，２ｔの後端の開口２ｕを通してアイライナー化粧料Ｌの流れが直進となり、中綿３のアイライナー化粧料Ｌを円滑に移動させることができる。
【００４６】
また、本実施形態によれば、塗布体ホルダ２の後部支持部２ｔ，２ｔが中綿３に比して硬いため、後部支持部２ｔ，２ｔを確実に中綿３に差し込むことができる。
【００４７】
また、塗布体４は、塗布体ホルダ２の後端の開口２ｕから後方へ突出しているため（図２参照）、中綿３との接触面積が大きくなっており、一層多くのアイライナー化粧料Ｌを塗布体４へ移動させることができる。
【００４８】
また、塗布体ホルダ２の後部支持部２ｔ，２ｔ同士の間に、後端の開口２ｕに連通し前側に延びるスリット２ｓ，２ｓを備え、塗布体ホルダ２は、スリット２ｓ，２ｓを後側から前側へ通る塗布体４を突き当てるためのストッパ２ｆ，２ｆを備えているため（図５参照）、塗布体４のストッパ４ｆ，４ｆが塗布体ホルダ２のストッパ２ｆ，２ｆに突き当たることによって（図１参照）、塗布体４の位置決めが容易に成されると共に、塗布体４のそれ以上の前進が阻止され、これにより、図１及び図２に示すアイライナー化粧料塗布容器１００の状態において塗布体４の汚れを落とす等の清掃をしているときに、当該塗布体４が前方に抜け出てしまうことを防止できる。
【００４９】
さらに、本実施形態によれば、以下の作用・効果を奏する。すなわち、塗布体４は、アイラインの細い線を描くべく薄い平板状にされると共に、柔らかい感触のものとされているため、当該塗布体４はぺらぺらであり、そのままでは、塗布体４の先部４ｘが、アイラインを描く際の筆圧により折れ曲がってしまうという問題を生じるが、本実施形態においては、塗布体４の先部４ｘは、当該先部４ｘの外縁形状に概ね沿うような外縁形状を有する塗布体ホルダ２の先部支持部２ｇ，２ｇにより両側から挟まれ支持されているため（図３及び図４参照）、アイラインを描く際の筆圧による塗布体４の先部４ｘの折れ曲がりを防止できる。そして、このように、アイラインを描く際の塗布体４の先部４ｘの折れ曲がりを防止できるため、塗布部４ａにより、目の縁に沿って所望幅の細い綺麗なアイラインを容易に描くことができる。
【００５０】
ここで、本発明者は、小型卓上試験機ＥＺ  Ｔｅｓｔ（島津製作所製）を用い、支点間距離を２０ｍｍ、クロスヘッド速度２０ｍｍ／分、幅３ｍｍ、長さ３０ｍｍの試験片の厚さ方向に荷重を加える３点曲げ試験を行い、撓み量が４ｍｍとなる際の荷重が０．１７Ｎ以下である材質・厚さを有する塗布体が、柔らかく且つ塗布感が良い塗布体であることを見出した。そして、このような試験によれば、塗布体の材質をポリオレフィンとし、その厚さを１ｍｍ以下とすれば柔らかさを確保でき、柔らかさの観点から０．７ｍｍ以下とするのがより好ましいということが分かった。
【００５１】
なお、第１実施形態では、特に好ましいとして、塗布体ホルダ２の後部支持部２ｔ，２ｔにより、平板状の塗布体４の後部４ｚを挟むようにして支持しているが、塗布体４の後部４ｚのうち、塗布体ホルダ２の後部支持部２ｔ，２ｔにより挟まれずに外部に露出している部分を覆うようにし、塗布体４の後部４ｚの全周を包むようにして支持するようにしても良い。このように構成しても、塗布体４の後部４ｚを、塗布体ホルダ２の後部支持部２ｔ，２ｔにより挟み支持する場合とほぼ同様な作用・効果を奏する。因みに、このように後部支持部が塗布体４の後部４ｚの全周を包むようにして支持する場合、後部支持部の側面（周面）に、後端の開口２ｕに連通し前側に延びる液体進入スリットを単数又は複数設けることにより、中綿３のアイライナー化粧料Ｌが液体進入スリットを通して後部支持部内に進入し、一層多くのアイライナー化粧料Ｌを塗布体４へ移動させることができる。この場合、後部支持部内の塗布体４が、液体進入スリットへ進入、又は、液体進入スリットを通して外部の中綿３へ進入していると、より一層多くのアイライナー化粧料Ｌを塗布体４へ移動させることができるので、より好ましい。
【００５２】
以上、第１実施形態にあっては、平板状の塗布体４を含浸体である中綿３に対して差し込むタイプのアイライナー化粧料塗布容器１００について説明したが、次の図１０〜図１９に示す第２実施形態にあっては、平板状の塗布体に対して含浸体を差し込むタイプのアイライナー化粧料塗布容器について説明する。
【００５３】
図１０及び図１１は、本発明の第２実施形態に係る液体塗布容器を示す各断面図、図１２及び図１３は、塗布体及び塗布体ホルダを示す各斜視図、図１４〜図１６は、塗布体ホルダを示す各図、図１７及び図１８は、塗布体を示す各図、図１９は、含浸体を示す斜視図であり、この第２実施形態でも、液体塗布容器として、液体をアイライナー化粧料としたアイライナー化粧料塗布容器が用いられている。
【００５４】
図１０及び図１１に示すように、アイライナー化粧料塗布容器２００は、各部品を収容する容器本体１１と、容器本体１１内の後半部に設けられアイライナー化粧料Ｌを収容する収容部１１ａと、容器本体１１の先端から突出し収容部１１ａ内のアイライナー化粧料Ｌを塗布するための塗布体１４と、塗布体１４を支持し容器本体１１に装着される塗布体ホルダ１２と、容器本体１１内に配置され収容部１１ａ内と塗布体１４を結ぶ含浸体である軸状の中継芯１７と、中継芯１７周りに装着された略円筒状のジャバラ部材１８と、を備える。
【００５５】
なお、ここでは、使用者が持って塗布しやすいように、容器本体１１の後側に対して、有底円筒状で軸線方向に長尺な把持筒２０が着脱可能又は着脱不能に装着されると共に、塗布体１４を保護すべく、容器本体１１の前側に対して、キャップ１９が着脱可能に装着される。
【００５６】
容器本体１１は、例えばＰＰ等から形成され、先細の円筒状に構成される。この容器本体１１の先端側の外周面には、円環状の鍔部１１ｂが設けられる。容器本体１１の後端の開口は、例えばＰＰ等から成る尾栓１６を容器本体１１に装着することにより閉じられ、容器本体１１内のジャバラ部材１８より後側に拡径して形成された内部空間が、アイライナー化粧料Ｌが充填された収容部１１ａとされる。収容部１１ａ内には、アイライナー化粧料Ｌと共に、当該アイライナー化粧料Ｌを撹拌すべく例えばＳＵＳ等より形成された球状の撹拌子１３が収容される。
【００５７】
塗布体ホルダ１２は、塗布体１４が挿入され当該塗布体１４を支持するためのものであり、例えばＰＰ等から形成される。図１４〜図１６に示すように、塗布体ホルダ１２は、先端側の先部１２ｘと、後端側の後部１２ｚと、先部１２ｘと後部１２ｚとの間の中間部１２ｙと、を備え、図１０及び図１１に示すように、先部１２ｘの先端側の突出部である先部支持部１２ｇ，１２ｇ（詳しくは後述）は、容器本体１１から突出し、先部１２ｘの先部支持部１２ｇ，１２ｇより後側の部分、及び、中間部１２ｙ並びに後部１２ｚは、容器本体１１内に収容される。
【００５８】
図１４〜図１６に示すように、先部１２ｘの先部支持部１２ｇ，１２ｇより後側の部分及び中間部１２ｙは、円形の外周面を有する筒状に構成され、これらを貫通する筒孔１２ｈ（図１０及び図１１参照）は、その前半部が、平板状の塗布体１４の中間部１４ｙ（図１７及び図１８参照：詳しくは後述）の収容を可能とする形状、すなわち塗布体１４の中間部１４ｙの形状に合致した断面略長方形状とされ、これに続く後半部の断面略長方形状が、その長径が前半部の長径と同じである（図１０参照）一方で、その短径が、中継芯１７の後述の軸部１７ａの直径と同じ長さとなっている（図１１参照）。
【００５９】
図１４〜図１６に示すように、先部１２ｘの先部支持部１２ｇ，１２ｇより後側の部分の先端の開口１２ｂは、断面略長方形状の筒孔１２ｈに同様な形状で繋がる塗布体１４の出口とされ（図１０、図１２及び図１３参照）、この出口となる開口１２ｂの短径側（図１６の上下方向）の開口縁に、長径側（図１６の紙面垂直方向）の開口縁よりも前方に突出する先部支持部１２ｇを、一対対向して備える。これらの先部支持部１２ｇ，１２ｇは、塗布体１４の後述の先部１４ｘを両側から挟み支持するものであり、先端側に行くに従い扁平形状になるように縮径する先細り形状とされる。また、この先部支持部１２ｇ，１２ｇは、塗布体１４の先部１４ｘの外縁に概ね沿うような形状となっている（塗布体１４の先部１４ｘの外縁の形状については後述）。
【００６０】
中間部１２ｙは、その外周面が、先部１２ｘの後端に段差面１２ｅを介して続く大径の円形形状となっており、短尺に後方へ延びているブロック体である。中間部１２ｙの後端部には、当該中間部１２ｙを貫通する断面略長方形状の筒孔１２ｈに軸線方向視で重なると共に、当該筒孔１２ｈの長径側（図１６の紙面垂直方向）に延びる溝１２ｎが、中間部１２ｙの後端面から所定深さで凹設されている。そして、中間部１２ｙを貫通する筒孔１２ｈは、溝１２ｎとの交わる位置が、孔の出口となる開口１２ｄとされる。そして、開口１２ｄの長径側の周囲は、上記溝１２ｎにより軸線方向前側にへこむ凹部１２ｑとされ、塗布体１４を組み付ける際に、凹部１２ｑに塗布体１４のストッパ１４ｆ（詳しくは後述）が進入し、凹部１２ｑの底面１２ｆが、塗布体１４のストッパ１４ｆが突き当たるストッパとされる（以降、凹部１２ｑの底面１２ｆをストッパ１２ｆと呼ぶ）。
【００６１】
後部１２ｚは、中間部１２ｙの後端面に、塗布体１４の挿入方向に沿うように連設されて後方へ突出する一対の突出部１２ｔ，１２ｔを備える。これらの突出部１２ｔ，１２ｔは、塗布体１４の後述の後部１４ｚを両側から挟み支持する後部支持部であり（以降、突出部１２ｔを後部支持部１２ｔと呼ぶ）、個々の後部支持部１２ｔは、円筒を半割とした断面略半円筒形状とされ、一方の後部支持部１２ｔの断面略半円筒形状の両側の端面１２ｍ，１２ｍと、他方の後部支持部１２ｔの断面略半円筒形状の両側の端面１２ｍ，１２ｍとが、互いに対向し、塗布体１４の後部１４ｚを両側から挟む面とされる。これらの後部支持部１２ｔ，１２ｔは、軸線方向視において、断面略半円筒形状の後部支持部１２ｔ，１２ｔ同士の間に、開口１２ｄの短径側（図１６の上下方向）が位置するように配置される。
【００６２】
そして、このような構成を採用することにより、一方の後部支持部１２ｔの一方側の端面１２ｍと他方の後部支持部１２ｔの一方側の端面１２ｍとの間にスリット１２ｓが形成されると共に、一方の後部支持部１２ｔの他方側の端面１２ｍと他方の後部支持部１２ｔの他方側の端面１２ｍとの間に、同様なスリット１２ｓが形成された格好となっている。このスリット１２ｓ，１２ｓの各々は、中間部１２ｙの後端面に凹設された上記凹部１２ｑにそれぞれ直線状に連通する構成となっている。また、後部支持部１２ｔ，１２ｔ同士の間の後端は、後方へ開放され、開口１２ｕが開口された格好となっている。
【００６３】
塗布体１４は、アイライナー化粧料Ｌを目の縁に沿って塗布する際に用いられるものであり、チップとも称されるものである。図１７及び図１８に示すように、塗布体１４は、薄い平板状とされて軸線方向に延び、アイラインの細い線を描くのに最適な厚さにされる。この塗布体１４は、中継芯１７からアイライナー化粧料Ｌを取り入れて先端側の塗布部１４ａに誘導する（移動させる）毛細管現象を発現するものであり、塗布の際に肌に馴染む柔らかい感触が得られるように、ここでは、ポリオレフィンより形成されている。
【００６４】
なお、塗布体１４としては、最低限、毛細管現象を発現できれば良いが、柔らかい感触が得られるのが好ましく、柔らかい繊維質の材質や、スポンジ等の柔らかい多孔質材を採用することができ、ポリオレフィン以外の例えばナイロン、ポリエステル等より形成されても良い。因みに、繊維質の材質とするのが、より好ましい。
【００６５】
この塗布体１４は、先端側の先部１４ｘと、後端側の後部１４ｚと、先部１４ｘと後部１４ｚとの間の中間部１４ｙと、を備える。
【００６６】
先部１４ｘは、塗布体ホルダ１２の開口１２ｂから突出する部分であり（図１０参照）、平面視において（図１８の紙面垂直方向視において）、例えば包丁等の片刃形状の先端部分（刃先）の形状を呈する。具体的には、先部１４ｘの外縁の形状は、平面視において、片刃形状の刃の後側の部分である所謂みねに対応する部分１４ｍが、直線状に構成され、その直線状の先端は、鋭角を成し尖る尖部１４ｎとされ、この尖部１４ｎから後方への部分は、刃の所謂反りの部分と同様に、湾曲し傾斜する湾曲傾斜面１４ａとなっている。そして、この厚みが薄く湾曲する湾曲傾斜面１４ａが、アイラインを描く塗布部となる（以降、湾曲傾斜面１４ａを塗布部１４ａと呼ぶ）。
【００６７】
なお、ここでは、アイライナー化粧料Ｌを塗布するのに特に好ましい形状として、尖部１４ｎは、片刃形状のように、平面視において幅方向（図１８の上下方向）の一方側（図１８の上側）に片寄って配置されているが、両刃形状のように、幅方向の中央に配置されていても良い。また、塗布部１４ａは湾曲し傾斜しているが、直線状に傾斜していても良い。
【００６８】
中間部１４ｙは、先部１４ｘの後端に続き、断面略長方形状に形成される。
【００６９】
後部１４ｚは、その後端に進入する中継芯１７からアイライナー化粧料Ｌを取り入れる部分であり（図１０参照）、中継芯１７の先端の突起１７ｂ（詳しくは後述）が容易に差し込まれるべく、後端面から前方へ向かって凹むスリット状のへこみ１４ｋを備える。そして、このへこみ１４ｋを含む後側が、中継芯１７からアイライナー化粧料Ｌを取り入れる後部１４ｚとされる。この後部１４ｚは、後端から切り込むへこみ１４ｋにより二股の突出部１４ｗ，１４ｗに分けられる。これらの突出部１４ｗ，１４ｗの各々の先端側の両側面（図１８の上下面）には、外側へ突出する凸部１４ｆが設けられる。そして、塗布体１４を塗布体ホルダ１２に組み付ける際に、凸部１４ｆが、塗布体ホルダ１２の凹部１２ｑに進入し、塗布体ホルダ１２のストッパ１２ｆに突き当たるストッパとされる（以降、凸部１４ｆをストッパ１４ｆと呼ぶ）。
【００７０】
このような平板状の塗布体１４は、図１２及び図１３に示すように、その先部１４ｘから、塗布体ホルダ１２の中間部１２ｙの後端面の開口１２ｄ（図１４参照）に挿入され、図１０、図１２及び図１３に示すように、その凸部であるストッパ１４ｆが、塗布体ホルダ１２の中間部１２ｙのストッパ１２ｆに突き当たることにより、位置決めが成されると共にそれ以上の前進が阻止される。
【００７１】
この状態で、図１０〜図１３に示すように、塗布体１４の先部１４ｘは、塗布体ホルダ１２の先部１２ｘの開口１２ｂから突出し、塗布体１４の先部１４ｘの外縁形状に概ね沿うような外縁形状を有する（概ね小さい相似形とされる）塗布体ホルダ１２の先部支持部１２ｇ，１２ｇにより両側から挟まれ支持される。
【００７２】
また、図１２及び図１３に示すように、塗布体１４の後部１４ｚは、塗布体ホルダ１２の後部支持部１２ｔ，１２ｔにより両側から挟まれて支持される。具体的には、一方の後部支持部１２ｔの断面略半円筒形状の一方側の端面１２ｍと、他方の後部支持部１２ｔの断面略半円筒形状の一方側の端面１２ｍとの間に、後部１４ｚの一方の突出部１４ｗが挟まれると共に、一方の後部支持部１２ｔの断面略半円筒形状の他方側の端面１２ｍと、他方の後部支持部１２ｔの断面略半円筒形状の他方側の端面１２ｍとの間に、後部１４ｚの他方の突出部１４ｗが挟まれ、当該塗布体１４の後部１４ｚが支持される。
【００７３】
そして、このようにして塗布体１４が一体化された塗布体ホルダ１２は、図１０及び図１１に示すように、その先端側から容器本体１１の後端の開放された開口を通して筒孔に挿入され、その段差面１２ｅが、容器本体１１の先端側の内周面に設けられた段差面に突き当てられ、その段差面１２ｅより前側の部分の外周面が、容器本体１１の先端の内周面に嵌着されることにより、塗布体１４を支持した塗布体ホルダ１２が、容器本体１１に装着される。
【００７４】
ジャバラ部材１８は、アイライナー化粧料Ｌの流量をコントロールするためのものであり、例えばＰＰ等から形成される。このジャバラ部材１８は、略円筒状に構成され、その先端部より後側に、軸線方向に沿って、アイライナー化粧料Ｌを含むための溝（ジャバラ）が設けられる。
【００７５】
中継芯１７は、例えばＰＥＴ等から形成され、図１９に示すように、断面円形の軸状に構成される。この中継芯１７は、軸線方向に延びる軸部１７ａと、軸部１７ａの先端に段差面１７ｃを介して縮径するように設けられ前方へ突出する突起１７ｂと、を有する。図１０及び図１１に示すように、中継芯１７の軸部１７ａは、ジャバラ部材１８の筒孔を通過し、その先端側が、ジャバラ部材１８の先端側と嵌合することにより、ジャバラ部材１８に装着されている。
【００７６】
そして、このようにして中継芯１７が一体化されたジャバラ部材１８は、その先端側から容器本体１１の後端の開放された開口を通して筒孔に挿入され、ジャバラ部材１８の円筒状の後端部１８ａが、容器本体１１の内周面の凹部１１ｃに嵌合することにより、容器本体１１に装着される。
【００７７】
この状態で、ジャバラ部材１８の円筒状の先端部は、塗布体ホルダ１２の中間部１２ｙの後端面に突き当てられ（図１１参照）、塗布体１４のストッパ１４ｆは、塗布体ホルダ１２のストッパ１２ｆとジャバラ部材１８の先端面との間に挟まれるようにして軸線方向に移動不能とされる（図１０参照）。また、この状態で、中継芯１７の段差面１７ｃが、塗布体１４の後端面に突き当てられる（図１０参照）と共に、中継芯１７の突起１７ｂが、塗布体ホルダ１２の後部１２ｚの後端の開口１２ｕを通して進入し（図１３参照）、さらに、塗布体ホルダ１２の後部支持部１２ｔ，１２ｔに挟まれ支持されている塗布体１４の後部１４ｚに差し込まれ進入する。具体的には、中継芯１７の突起１７ｂは、後部１４ｚの突出部１４ｗ，１４ｗ同士の間に形成されたへこみ１４ｋに差し込まれ進入する（図１０参照）。この状態で、中継芯１７の突起１７ｂは、塗布体１４の後部４ｚに接触している。
【００７８】
そして、容器本体１１内のジャバラ部材１８の後端部１８ａより後方の開口に対して、上記尾栓１６が装着され、ジャバラ部材１８の後端部１８ａと尾栓１６との間に、上記収容部１１ａが形成され、この収容部１１ａにアイライナー化粧料Ｌが充填される。
【００７９】
このようにして組み立てられたユニットは、その後端側から、把持筒２０の筒孔に挿入され、その容器本体１１の鍔部１１ｂが、把持筒２０の先端面に突き当てられ、この状態で、容器本体１１の鍔部１１ｂより後側の外周面が、把持筒２０の先端側の内周面に係合することにより把持筒２０に装着され、図１０及び図１１に示すアイライナー化粧料塗布容器２００が得られる。
【００８０】
このように構成されたアイライナー化粧料塗布容器２００にあっては、容器本体１１内のアイライナー化粧料Ｌは、中継芯１７の後部から取り入れられ軸部１７ａを通って先端の突起１７ｂに移動し、さらに、アイライナー化粧料Ｌは、塗布体１４の毛細管現象により、突起１７ｂが差し込まれ接触する塗布体１４の後部１４ｚに取り入れられ、当該塗布体１４を移動しさらに先部１４ｘの塗布部１４ａへ移動し、当該塗布部１４ａにより、アイラインの細い線を柔らかい感触で描くことができる。
【００８１】
そして、特に、このようなアイライナー化粧料塗布容器２００によれば、以下の作用・効果を奏する。すなわち、平板状で且つ毛細管現象を発現する塗布体１４のその後部１４ｚが、塗布体ホルダ１２の後部支持部１２ｔ，１２ｔに挟まれ支持された状態で、中継芯１７が、塗布体ホルダ１２の後端の開口１２ｕを通し後部支持部１２ｔ，１２ｔに進入するため、塗布体ホルダ１２の後部支持部１２ｔ，１２ｔにより塗布体１４の後部１４ｚが逃げることなく、当該後部支持部１２ｔ，１２ｔに進入した中継芯１７が、塗布体１４の後部１４ｚに容易に差し込まれる。このため、中継芯１７のアイライナー化粧料Ｌを、塗布体１４へ確実に移動させることができると共に、後部支持部１２ｔ，１２ｔの後端の開口１２ｕを通してアイライナー化粧料Ｌの流れが直進となり、中継芯１７のアイライナー化粧料Ｌを円滑に移動させることができる。
【００８２】
また、本実施形態によれば、塗布体１４の方が中継芯１７に比して柔らかいため、塗布体ホルダ１２の後部支持部１２ｔ、１２ｔに挟まれ支持される塗布体１４の後部１４ｚのその後端面に対して、中継芯１７を確実に差し込むことができる。
【００８３】
また、中継芯１７は先端に突起１７ｂを備え、塗布体１４の後端面には、中継芯１７の突起１７ｂが進入するへこみ１４ｋを備えているため、塗布体１４の後端面のへこみ１４ｋに、中継芯１７の突起１７ｂが確実に差し込まれて進入することができる。
【００８４】
また、塗布体ホルダ１２の後部支持部１２ｔ，１２ｔ同士の間に、後端の開口１２ｕに連通し前側に延びるスリット１２ｓ，１２ｓを備え、塗布体ホルダ１２は、スリット１２ｓ，１２ｓを後側から前側へ通る塗布体１４を突き当てるためのストッパ１２ｆ，１２ｆを備えているため（図１４参照）、塗布体１４のストッパ１４ｆ，１４ｆが塗布体ホルダ１２のストッパ１２ｆ，１２ｆに突き当たることによって（図１０参照）、塗布体１４の位置決めが容易に成されると共に、塗布体１４のそれ以上の前進が阻止され、これにより、図１０及び図１１に示すアイライナー化粧料塗布容器２００の状態において塗布体１４の汚れを落とす等の清掃をしているときに、当該塗布体１４が前方に抜け出てしまうことを防止できる。
【００８５】
さらに、本実施形態によれば、第１実施形態で述べたのと同様に、塗布体１４の先部１４ｘは、当該先部１４ｘの外縁形状に概ね沿うような外縁形状を有する塗布体ホルダ１２の先部支持部１２ｇ，１２ｇにより両側から挟まれ支持されているため（図１２及び図１３参照）、アイラインを描く際の筆圧による塗布体１４の先部１４ｘの折れ曲がりを防止でき、当該塗布体１４の塗布部１４ａにより、目の縁に沿って所望幅の細い綺麗なアイラインを容易に描くことができる。
【００８６】
なお、この第２実施形態では、特に好ましいとして、塗布体ホルダ１２の後部支持部１２ｔ，１２ｔを円筒を半割とした断面略半円筒形状とし、一方の断面略半円筒形状の両側の端面１２ｍ，１２ｍと他方の断面略半円筒形状の両側の端面１２ｍ，１２ｍとの間で、平板状の塗布体１４の後部１４ｚ（突出部１４ｗ，１４ｗ）を挟むようにして支持しているが、塗布体１４の後部１４ｚのうち、塗布体ホルダ１２の後部支持部１２ｔ，１２ｔにより挟まれず且つ覆われずに外部に露出している部分を包むように覆い支持するようにしても良い。また、後部支持部１２ｔ，１２ｔの断面略半円筒形状を平板状に代え、平板状の塗布体１４の後部１４ｚを、一対の平板状の後部支持部同士で挟むようにして支持しても良く、また、この平板状の後部支持部により挟まれずに外部に露出している部分を覆うようにし、塗布体１４の後部１４ｚの全周を包むようにして支持するようにしても良い。これらのように構成しても、塗布体１４の後部１４ｚを、塗布体ホルダ１２の後部支持部１２ｔ，１２ｔにより挟み支持する場合とほぼ同様な作用・効果を奏する。また、これらのように構成する場合、塗布体１４は、へこみ１４ｋがない平板でも良い。
【００８７】
以上、本発明をその実施形態に基づき具体的に説明したが、本発明は上記実施形態に限定されるものではなく、例えば、上記実施形態においては、特に好ましいとして、塗布体４，１４を平板状としているが、湾曲した板状でも良い。
【００８８】
また、上記実施形態のアイライナー化粧料塗布容器１００，２００に、アイライナー化粧料Ｌを先端側に押し出す例えば加圧ピストンのような押出機構を設け、この押出機構を、アイライナー化粧料Ｌを先端側へ移動させる補助として用いるようにしても良い。また、使用者の押圧力によりアイライナー化粧料Ｌを押し出すことができるチューブやソフトボトル等のスクイーズタイプのアイライナー化粧料塗布容器に対しても適用することも可能である。
【００８９】
また、上記実施形態においては、特に好ましいとして、液体をアイライナー化粧料Ｌとし、容器をアイライナー化粧料塗布容器１００，２００としているが、液体を例えばアイブロウやヘアマスカラ等の他の液状化粧料とし、容器を他の液状化粧料塗布容器としても良く、さらには、液体を筆記用具等のインキや糊や液状の医薬品とし、容器を液体塗布容器とすることも可能である。
【符号の説明】
【００９０】
１，１１…容器本体、２，１２…塗布体ホルダ、２ｆ，１２ｆ…ストッパ、２ｓ，１２ｓ…スリット、２ｔ，１２ｔ…後部支持部、２ｕ，１２ｕ…開口、２ｚ，１２ｚ…塗布体ホルダの後部、３…中綿（含浸体）、４，１４…塗布体、４ａ，１４ａ…塗布部、４ｘ，１４ｘ…塗布体の先部、４ｚ，１４ｚ…塗布体の後部、１４ｋ…へこみ、１７…中継芯（含浸体）、１７ｂ…突起、１００，２００…アイライナー化粧料塗布容器（液体塗布容器）、Ｌ…アイライナー化粧料（液体）。
【図１】
0006684981.tif 000002
【図２】
0006684981.tif 000003
【図３】
0006684981.tif 000004
【図４】
0006684981.tif 000005
【図５】
0006684981.tif 000006
【図６】
0006684981.tif 000007
【図７】
0006684981.tif 000008
【図８】
0006684981.tif 000009
【図９】
0006684981.tif 000010
【図１０】
0006684981.tif 000011
【図１１】
0006684981.tif 000012
【図１２】
0006684981.tif 000013
【図１３】
0006684981.tif 000014
【図１４】
0006684981.tif 000015
【図１５】
0006684981.tif 000016
【図１６】
0006684981.tif 000017
【図１７】
0006684981.tif 000018
【図１８】
0006684981.tif 000019
【図１９】
0006684981.tif 000020